(57)【要約】【課題】チェーンスリングおよびワークに対する保護効果が高いチェーンプロテクターを提供する。【解決手段】チェーンスリングに取り付けた状態でワークのコーナー部分に当てて使用されるチェーンプロテクターであって、ワークのコーナー部分に略密接可能な形状を有する金具１０と、この金具のワーク接触面の反対側に設けられ、チェーンスリングのクロスチェーンを挿通させる略十字形状の貫通孔２３Ａ，２３Ｂを有するチェーン挿通部材２０と、チェーンプロテクターをワークのコーナー部の外側面に密着させるためのマグネット３０と、を備えている。このチェーンプロテクターをＨ形鋼などのシャープエッジコーナーを有するワークに使用した場合、該シャープエッジが金具内側の凹部１６に収容され、金具との接触を回避する。チェーン挿通部材の長さ方向中央部は反金具側において切除されて薄板部２４を形成している。【選択図】図１
2008179444.tif 000002
【特許請求の範囲】
【請求項１】
チェーンスリングに取り付けた状態でワークのコーナー部分に当てて使用されるチェーンプロテクターであって、ワークのコーナー部分に略密接可能な形状を有する金具と、前記金具のワーク接触面の反対側に設けられ、チェーンスリングのクロスチェーンを挿通させる略十字形状の貫通孔を有するチェーン挿通部材と、チェーンプロテクターをワークのコーナー部の外側面に密着させるためのマグネットと、を備えてなることを特徴とするチェーンプロテクター。
【請求項２】
前記金具の折曲コーナー部分の内側に、ワークのコーナー部分の先端エッジとの接触を回避するための凹部が形成されることを特徴とする、請求項１記載のチェーンプロテクター。
【請求項３】
前記金具の折曲コーナー部分が、ワークのコーナー部分に合致した湾曲形状を有するものとされていることを特徴とする、請求項１記載のチェーンプロテクター。
【請求項４】
前記チェーン挿通部材が透明であり、略十字形状の貫通孔に挿入されているチェーンの状態が外部から見えることを特徴とする、請求項１ないし３のいずれか記載のチェーンプロテクター。
【請求項５】
前記略十字状の貫通孔は、チェーンスリングを形成するクロスチェーンのうち略２個分またはそれ以上の長さを有し、隣接する２個またはそれ以上のクロスチェーンを収容し、長さ方向に延長して形成されることを特徴とする、請求項１ないし４のいずれか記載のチェーンプロテクター。
【請求項６】
前記略十字状の貫通孔は、互いに交差する２つのチェーン収容溝からなり、各チェーン収容溝はワークとの接触面に対して略４５°の角度で斜向していることを特徴とする、請求項１ないし５のいずれか記載のチェーンプロテクター。
【請求項７】
前記チェーン挿通部材は、前記金具とは反対側においてその長さ方向の中央部が切除されて薄板部を形成しており、前記略十字形状の貫通孔に挿通されたチェーンスリングが前記薄板部において露出していることを特徴とする、請求項１ないし６のいずれか記載のチェーンプロテクター。
【発明の詳細な説明】
【技術分野】
【０００１】
本発明は、クレーンなどでワークを吊り上げ運搬する際にリンクチェーンからなるチェーンスリングおよびワークの両者を保護するためにチェーンスリングと共に使用されるチェーンプロテクターに関する。
【背景技術】
【０００２】
クレーンなどでワークを玉掛けにて吊り上げ運搬する場合、リンクチェーンからなるチェーンスリングおよびワークの両者を保護する目的で、従来からプロテクター（クレーン用語では「当てもの」）が使用されている。プロテクターとしては、麻袋、古タイヤ、木材、鋼板をＬ字状に折り曲げたもの、鋼管を縦半分に切断したものなどがワークの形状や重量などに応じて選択して使用され、ワークのコーナー部などに当てた上にチェーンスリングを通して吊り上げることにより、チェーンスリングおよびワークを保護する。
【発明の開示】
【発明が解決しようとする課題】
【０００３】
前記従来技術は、プロテクターがチェーンスリングと分離していることから作業者の作業効率が低下し、負傷危険性が高く、プロテクターに対するチェーンスリングの位置関係（向き）を一定にすることが困難であった。
【０００４】
また、たとえば鋼板の端面やＨ形鋼のフランジ部など、ワークの先端エッジが直角または鋭角の形状である場合には、該先端エッジに当てたプロテクターの接触部分に局所的に負荷がかかり、亀裂が入りやすく、破損してしまうといった不具合があった。また、ワークの先端エッジが仮に鈍角であったとしても、プロテクターのコーナー部分に対して局所的に負荷が加わるという課題は変わらず、破損が生じ易い構造を有していた。
【０００５】
そこで、本発明の課題は、チェーンスリングにセットして使用され、チェーンスリングおよびワークに対する保護効果が高いプロテクターであって、チェーンプロテクター本体の耐久性が優れており、装着したチェーンプロテクターの落下を防止する手段を備えた新たなチェーンプロテクターを提供することにある。
【課題を解決するための手段】
【０００６】
この課題を解決するため、請求項１にかかる本発明は、チェーンスリングに取り付けた状態でワークのコーナー部分に当てて使用されるチェーンプロテクターであって、ワークのコーナー部分に略密接可能な形状を有する金具と、前記金具のワーク接触面の反対側に設けられ、チェーンスリングのクロスチェーンを挿通させる略十字形状の貫通孔を有するチェーン挿通部材と、チェーンプロテクターをワークのコーナー部の外側面に密着させるためのマグネットと、を備えてなることを特徴とする。
【０００７】
請求項２にかかる本発明は、請求項１記載のチェーンプロテクターにおいて、前記金具の折曲コーナー部分の内側に、ワークのコーナー部分の先端エッジとの接触を回避するための凹部が形成されることを特徴とする。
【０００８】
請求項３にかかる本発明は、請求項１記載のチェーンプロテクターにおいて、前記金具の折曲コーナー部分が、ワークのコーナー部分に合致した湾曲形状を有するものとされていることを特徴とする。
【０００９】
請求項４にかかる本発明は、請求項１ないし３のいずれか記載のチェーンプロテクターにおいて、前記チェーン挿通部材が透明であり、略十字形状の貫通孔に挿入されているチェーンの状態が外部から見えることを特徴とする。
【００１０】
請求項５にかかる本発明は、請求項１ないし４のいずれか記載のチェーンプロテクターにおいて、前記略十字状の貫通孔は、チェーンスリングを形成するクロスチェーンのうち略２個分またはそれ以上の長さを有し、隣接する２個またはそれ以上のクロスチェーンを収容し、長さ方向に延長して形成されることを特徴とする。
【００１１】
請求項６にかかる本発明は、請求項１ないし５のいずれか記載のチェーンプロテクターにおいて、前記略十字状の貫通孔は、互いに交差する２つのチェーン収容溝からなり、各チェーン収容溝はワークとの接触面に対して略４５°の角度で斜向していることを特徴とする。
【００１２】
請求項７にかかる本発明は、請求項１ないし６のいずれか記載のチェーンプロテクターにおいて、前記チェーン挿通部材は、前記金具とは反対側においてその長さ方向の中央部が切除されて薄板部を形成しており、前記略十字形状の貫通孔に挿通されたチェーンスリングが前記薄板部において露出していることを特徴とする。
【発明の効果】
【００１３】
請求項１にかかる本発明によれば、金具をワークのコーナー部分に略密接させ、且つ、チェーン挿通部材の貫通孔にチェーンスリングのクロスチェーンを挿通させた状態でチェーンプロテクターを使用してワークを吊り上げることができるので、吊り上げ時にワーク重量の負荷が作用しても、ワークおよびチェーンスリングの両者を保護して損傷を防止する効果がある。
【００１４】
このチェーンプロテクターにはあらかじめチェーンスリングに取り付けられるので、チェーンスリングとは別体のプロテクターをセットする面倒な作業が不要となり、該作業時に作業者が手を挟む危険も回避することができる効果がある。そして、チェーンスリングに取り付けた後であっても、チェーンスリングを略十字形状の貫通孔内で移動させることにより、チェーンプロテクターをワークに対して最適な位置にセットすることができる効果がある。
【００１５】
さらに、このチェーンプロテクターはマグネットでワークのコーナー部分の外側面に密着固定されるので、ワークに対する位置決めが容易となり、位置ずれを防ぎ、且つ、チェーンスリングがワークから離脱することを防止して安全性を高める効果がある。
【００１６】
請求項２にかかる本発明によれば、コーナー部分の先端がシャープエッジとなっているワーク（Ｈ形鋼など）に対して好適に使用することができるチェーンプロテクターが提供される。このようなワークのコーナー部分に金具を当てたときに、該ワークのコーナー部分先端のシャープエッジが凹部に収容されて金具との接触が回避されるので、ワーク先端部の破損およびチェーンプロテクターの破損を防止する効果がある。
【００１７】
請求項３にかかる本発明によれば、コーナー部分の先端が湾曲形状を有するワーク（コラムなど）に対して好適に使用することができるチェーンプロテクターが提供される。
【００１８】
請求項４にかかる本発明によれば、チェーンプロテクターが透明材料で形成されているので、前記効果に加えて、略十字形状の貫通孔に挿入されているチェーンの状態が外部から確認できるため、安全性を高める効果がある。
【００１９】
請求項５にかかる本発明によれば、略十字形状の貫通孔にチェーンスリングの少なくとも２つのクロスチェーンが収容されるので、チェーンスリングに確実にセットすることができる効果がある。
【００２０】
請求項６にかかる本発明によれば、略十字形状の貫通孔が互いに交差する２つのチェーン収容溝からなり、各チェーン収容溝は吊りワークとの接触面に対して略４５°の角度で斜向する方向に延長しているので、吊り上げ時にチェーンプロテクターを介して吊りワークに作用する面圧を縦横２列のチェーンで分散する。したがって、チェーンスリングにもワークにも傷がつきにくい構造が得られる効果がある。
【００２１】
請求項７にかかる本発明によれば、金具とは反対側においてチェーン挿通部材の長さ方向の中央部が切除されて薄板部を形成しており、この薄板部において略十字形状の貫通孔に挿通されたチェーンスリングが露出しているので、チェーンプロテクターにチェーンスリングをセットする作業や、ワークに対して最適な位置にチェーンプロテクターを移動または調整する作業が容易になる効果がある。
【発明を実施するための最良の形態】
【００２２】
図１（ａ）および（ｂ）は、本発明の第一実施例によるチェーンプロテクターＣ１の外観正面図（ａ）と側面図（ｂ）である。このチェーンプロテクターＣ１は、このチェーンプロテクターＣ１を使用して吊り上げる吊りワークのコーナー部分に応じた形状を有する金具１０と、チェーンスリングを挿通させる部材２０と、ワークとの略密接状態を補助するマグネット３０とから構成されている。
【００２３】
図２は、このチェーンプロテクターＣ１に使用される金具１０の断面図（ａ）およびワーク接触側から見た側面図（ｂ）である。金具１０はたとえば鋼板からなり、ワークのコーナー部分に適した形状として加工される。この実施例のチェーンプロテクターＣ１は、後述するようにＨ形鋼の直角で鋭利なコーナー部分（先端エッジ）に当てて使用することを意図しているので、金具１０は直角に折り曲げられたＬ字形状を有している。
【００２４】
Ｌ字形金具１０の第一片１１には、チェーンスリング挿通部材２０を取り付けるための一対のネジ穴１２，１２が設けられている。同様に、第二片１３にも、チェーンスリング挿通部材２０を取り付けるための一対のネジ穴１４，１４が設けられている。これらのネジ穴１２，１４を介して後述するようにチェーンスリング挿通部材２０が確実に金具１０に固定されて取り付けられる。
【００２５】
金具１０のコーナー部分１５は、ワークであるＨ形鋼の先端エッジとの接触を回避するように、内側凹部１６を有して外側に凸となる湾曲形状に形成されている。このようにワークの先端エッジとの接触を回避する形状とすることにより、ワークの先端エッジの破損を防止すると共に、チェーンプロテクターＣ１を傷つけることがない構造を採用している。したがって、チェーンプロテクターＣ１の破損防止が考慮されているため劣化しにくく、耐久性が向上する。
【００２６】
図３はこのチェーンプロテクターＣ１に使用されるチェーン挿通部材２０を展開状態で示す側面図（ａ）、上面図（ｂ）および上面図（ｂ）におけるＸ−Ｘ’断面図（ｃ）である。
【００２７】
チェーン挿通部材２０は、たとえば軟質で屈曲自在な材質であるポリウレタンからなり、金具１０のワーク接触片１１，１３の外側面に沿って設けられる。すなわち、図３のような形状に形成されたチェーン挿通部材２０を、金具１０形状に沿って略直角に折り曲げた上体としてワーク接触片１１，１３の外側に配置し、取付ネジ２１，２１および２２，２２をそれぞれ金具１０の第一片１１のネジ穴１２，１２および第二片１３のネジ穴１４，１４に螺着することによって金具１０に固定されて取り付けられる。
【００２８】
チェーン挿通部材２０については数種類の長さのものを用意しておき、吊り上げるワークの寸法や形状などに応じて選択する。
【００２９】
チェーン挿通部材２０には、チェーンスリングを形成するクロスチェーンを収容する略十字形状の貫通孔２３が設けられている。本実施例では、屈曲自在性を高めると共にチェーンスリングへの取付を容易にするために、チェーン挿通部材２０の長さ方向中央（チェーンプロテクターＣ１においてコーナー外側となる部分）を大きく切除してこの部分を薄板部２４とし、この薄板部２４の両側に略十字形状の貫通孔２３Ａ，２３Ｂを備えたチェーン取付部２４Ａ，２４Ｂを形成している。このような薄板部２４を設けることにより、チェーン挿通部材２０を金具１０の形状に合わせて自在に屈曲させることが可能になり、チェーンプロテクターＣ１の製造が容易になると共に、チェーンスリングを挿通させ所定位置に移動させる際に薄板部２４上でのチェーン操作により簡単に所定位置に調整することが可能となる。
【００３０】
なお、薄板部２４の中央は金具１０のコーナー部１５の外側に添着されることとなるので、該コーナー部１５の外側の凸湾曲形状に対応させるための湾曲部２５を有している。
【００３１】
貫通孔２３（２３Ａ，２３Ｂ）は、図３（ｃ）に最も明りょうに示されるように、第一のチェーン収容溝２６と第二のチェーン収容溝２７とが略十字状に交差した形状を有しており、且つ、これら第一および第二のチェーン収容溝２６，２７はいずれもワーク接触面２８に対して４５°の角度で斜向するように形成されている。
【００３２】
このような構造を採用することにより、ワーク吊り上げ時のワーク接触面２７にかかる面圧は、第一のチェーン収容溝２６と第二のチェーン収容溝２７の２点に分かれて作用し分散されるため、ワーク（図示せず）を傷つけることがなく、同様にチェーンスリングを傷つけることもない。
【００３３】
マグネット３０はたとえば分銅型の磁石からなり、取付ネジ２８により貫通孔２３Ａ，２３Ｂの両側面にそれぞれ取り付けられる。マグネット３０の内側面は金具１０の内側面と略面一であって、ワークの対応する面に密着接触可能とされている。なお、本実施例ではマグネット３０を前記のように取り付けているが、金具１０の所定部分に穴を開け、マグネットをその部分に通してワークと直接接触する構造など、任意の取付構造を採用することができる。後述するように、マグネット３０は、鉄製のワークを吊り上げ運搬する場合にその磁力によりワークのコーナー部分を固定し、金具１０をワークのコーナー部分に密接させることができる。また、吊り上げ運搬作業前後においてはチェーンプロテクターＣ１がワークから突然落下することを防止する。
【００３４】
図４は、このチェーンプロテクターＣ１を２個用いてチェーンスリング１に取り付け、各々を吊りワークであるＨ形鋼２の直角で鋭利なコーナー部分に当てて玉掛けで吊り上げたときの状態図である。この場合は、チェーンプロテクターＣ１の略十字形状貫通孔２３Ａ，２３Ｂにチェーンスリング１のクロスチェーンを収容して挿通させた上で、金具１０の内側面をワーク２の側面と底面に密着させた状態としてセットする。その際、チェーンスリング１を貫通孔２３Ａ，２３Ｂ内を移動させて、チェーンプロテクターＣ１をワーク２に対して適正に位置調整する。このようにしてチェーンプロテクターＣ１はチェーンスリング１に取り付けられた状態でワーク２のコーナー部にセットされ、マグネット３０がワーク２の側面および底面に磁着することによって同位置に保持される。前述のように、ワーク２のコーナー部分はシャープエッジを有するが、チェーンプロテクターＣ１の金具１０の内側コーナー部には湾曲凹部１６が形成されているので、シャープエッジはこの湾曲凹部１６に収容されて、金具１０には直接接触しない。
【００３５】
上記のようにしてチェーンプロテクターＣ１がチェーンスリング１およびワーク２に確実に取り付けられたことを確認した上で、ワークの吊り上げ操作を行う。このような手順によりチェーンスリング１およびワーク２が保護されつつ、安全かつ安定した吊り上げ操作ができる。また、吊り上げ操作終了直後にチェーンプロテクターＣ１が突然外れることもなく、安心して次の作業へ移ることができる。
【００３６】
チェーンプロテクターＣ１は、Ｈ形鋼のように直角で鋭利なコーナー部分を有するワーク２に適用することを前提として略Ｌ字形状の金具１０を用いているが、ワークのコーナー部分の形状が異なる場合には、該形状に合致した金具形状とする必要がある。
【００３７】
図５は、本発明の第二実施例によるチェーンプロテクターＣ２の側断面図である。このチェーンプロテクターＣ２は、コーナー部分が滑らかに湾曲しているワーク、たとえばコラムを吊り上げる場合に好適に使用されるものであり、したがって金具１０’のコーナー部分１５’はコラムのコーナー部分に合致した滑らかな湾曲形状を有しており、その外側に配置固定されるチェーン挿通部材２０’のコーナー部分２４’も同様の滑らかな湾曲形状を有している。チェーンプロテクターＣ２は、これらの点において、第一実施例によるチェーンプロテクターＣ１と相違しており、その余についてはチェーンプロテクターＣ１と実質的に同様の構成を有するので、これ以上の詳細な説明を割愛する。
【００３８】
図６は、このチェーンプロテクターＣ２を２個用いてチェーンスリング１に取り付け、各々を吊りワークであるコラム３の湾曲コーナー部分に当てて玉掛けで吊り上げたときの状態図である。この場合は、チェーンプロテクターＣ１の略十字形状貫通孔２３Ａ，２３Ｂにチェーンスリング１のクロスチェーンを収容して挿通させた上で、金具１０の内側面をワーク２の側面と底面に密着させた状態としてセットする。その際、チェーンスリング１を貫通孔２３Ａ，２３Ｂ内を移動させて、チェーンプロテクターＣ１をコラム２に対して適正に位置調整する。このようにしてチェーンプロテクターＣ２はチェーンスリング１に取り付けられた状態でコラム３の湾曲コーナー部にセットされ、マグネット３０がワーク３の側面および底面に磁着することによって同位置に保持される。
【００３９】
上記のようにしてチェーンプロテクターＣ２がチェーンスリング１およびコラム３に確実に取り付けられたことを確認した上で、コラム３の吊り上げ操作を行う。このような手順によりチェーンスリング１およびコラム３が保護されつつ、安全かつ安定した吊り上げ操作ができる。また、吊り上げ操作終了直後にチェーンプロテクターＣ２が突然外れることもなく、安心して次の作業へ移ることができる。
【図面の簡単な説明】
【００４０】
【図１】本発明の第一実施例によるチェーンプロテクターの外観正面図（ａ）および側面図（ｂ）である。
【図２】このチェーンプロテクターに使用される金具の断面図（ａ）およびワーク接触側から見た側面図（ｂ）である。
【図３】このチェーンプロテクターに使用されるチェーン挿通部材１１を展開状態で示す側面図（ａ）、上面図（ｂ）および上面図（ｂ）におけるＸ−Ｘ’断面図（ｃ）である。
【図４】このチェーンプロテクターをチェーンスリングに取り付けて、直角で鋭利なコーナー部分を有するワーク（Ｈ形鋼）を玉掛けで吊り上げたときの状態図である。
【図５】本発明の第二実施例によるチェーンプロテクターの側断面図である。
【図６】このチェーンプロテクターをチェーンスリングに取り付けて、滑らかな湾曲形状のコーナー部分を有するワーク（コラム）を玉掛けで吊り上げたときの状態図である。
【符号の説明】
【００４１】
Ｃ１，Ｃ２  チェーンプロテクター
１  チェーンスリング
２  ワーク（Ｈ形鋼）
３  ワーク（コラム）
１０，１０’  金具
１１  第一片
１２  ネジ穴
１３  第二片
１４  ネジ穴
１５  コーナー部
１６  内側凹部
２０，２０’  チェーン挿通部材
２１，２２  ネジ
２３（２３Ａ，２３Ｂ）  略十字形状の貫通穴
２４  薄板部
２５  湾曲部
２６  第一のチェーン収容溝
２７  第二のチェーン収容溝
２８  ネジ
３０  マグネット
【図１】
2008179444.tif 000003
【図２】
2008179444.tif 000004
【図３】
2008179444.tif 000005
【図４】
2008179444.tif 000006
【図５】
2008179444.tif 000007
【図６】
2008179444.tif 000008